(57)【特許請求の範囲】
【請求項１】
レール材を継手により正面視を四角形に組み立てたレール枠の上下・左右方向に平行に相対峙するレール材間に、縦手摺りと横手摺りが互い違いの交差状に配置され、各手摺りの両端部が手摺り支持部材によりレール材へ摺動および位置決め固定が可能に取り付けられており、前記レール枠は、前記継手を設置対象物へネジ止めにより取り付けて設置される構成であることを特徴とする、縦手摺りおよび横手摺りの位置を調整可能な手摺りユニット。
【請求項２】
継手に、ネジ止め用ビス又はタッピングネジを通す孔が設けられていることを特徴とする、請求項１に記載した縦手摺りおよび横手摺りの位置を調整可能な手摺りユニット。
【請求項３】
縦手摺りおよび横手摺りはそれぞれ手摺り材とその両端部の手摺り支持部材とで構成され、前記手摺り支持部材がレール摺動部によりレール材へ摺動可能に取り付けられていること、
前記レール摺動部に位置決め固定機構が設けられ摺動および位置決め固定が可能とされていること、
縦手摺りおよび横手摺りは、手摺り支持部材によりレール枠の前面方向に高さが異なる段違い状に交差する配置でレール材間に取り付けられていることを特徴とする、請求項１に記載した縦手摺りおよび横手摺りの位置を調整可能な手摺りユニット。
【請求項４】
手摺り支持部材をレール材へ摺動可能に取り付けるレール摺動部としてレール材を貫通させたリニアブッシュが使用され、位置決め固定機構として、レール材の横断面を約半分づつ挟む２個一対のカラーが使用され、前記カラーの一側部分はネジ止めされ、他側部分はハンドル付きのネジ軸により締め緩めが自在に結合されて成り、前記リニアブッシュとハンドル付きの位置決め固定機構とが一対として構成されていることを特徴とする、請求項１又は３に記載した縦手摺りおよび横手摺りの位置を調整可能な手摺りユニット。
【発明の詳細な説明】
【技術分野】
【０００１】
この発明は、要介護者や足腰が弱った高齢者の日常生活における各種行動の安全性に寄与すると共に、リハビリテーション施設における訓練用としても好適に使用できる手摺りユニット、とりわけ設置する対象物や場所に応じて、あるいは当該手摺りユニットを利用する要介護者や高齢者の体格や各種行動の安全性に最適であるように縦手摺りおよび横手摺りの位置を適宜に自在に調整可能な手摺りユニットの技術分野に属する。
【背景技術】
【０００２】
従来、要介護者や足腰が弱った高齢者の日常生活における各種行動の安全性に寄与するように、また、リハビリテーション施設における訓練用としても好適である手摺りユニットが種々研究開発され、実用にも供されている。
例えば下記の特許文献１に開示された「浴室用手摺りの取り付け装置」は、浴室の壁パネルの上下にレール構造の手摺り保持部材を取り付けておいて、縦手摺りの上下両端を前記手摺り保持部材へ水平方向への移動および位置決め固定が可能に取り付けた構成である。しかし、これは縦手摺りだけの構成である。
【０００３】
下記の特許文献２に記載された「リハビリテーション装置」は、縦手摺りと横手摺りの２種を具備するが、基本的には前記縦手摺りと横手摺りが移動板に設置され、移動板を縦レール及び横レールに沿って移動させる構成である。そして、縦手摺りと横手摺りは予め移動板に設けられた貫通孔の位置を限度に、その設置位置を変更できる構成にすぎない。
下記の特許文献３に記載された「リハビリテーション装置」も、縦手摺りと横手摺りの２種を具備するが、基本的には前記縦手摺りと横手摺りが移動板に設置され、移動板を横レールに沿って移動させる構成である。なお、横手摺り材は、移動板の両サイドに設置されたガイド部材に沿って縦移動可能に構成されている。
【０００４】
【特許文献１】特開平９−５６６２４号公報
【特許文献２】特開平１０−３１９８３８号公報
【特許文献３】特許第３０１７４６５号公報（特開平１１−１１４００９号）
【発明の開示】
【発明が解決しようとする課題】
【０００５】
上記の特許文献１に開示された「浴室用手摺りの取り付け装置」は、横手摺りを具備しない構成であるから、不便、不十分な構成であるといわねばならない。
上記の特許文献２、３に記載された「リハビリテーション装置」は、縦手摺りと横手摺りの２種を具備するが、基本的には縦手摺りと横手摺りを移動板へ設置し、移動板を縦レール及び横レールに沿って移動させる大掛かりな構成であるから、当然に重く、運搬等には不利であるし、所望する場所への設置にも手間が掛かる。その上、厚さが大きい分だけ室内スペースを制約したり圧迫するし、高価な物という問題点がある。しかも縦手摺りおよび横手摺りの移動性、すなわち設置位置を調整できる可能性は、移動板の移動可能範囲に制限される構成であり、必要十分な移動性を具備するということはできない。
【０００６】
本発明の目的は、手摺りユニットとしての構成の小型化と軽量化、薄型化、およびローコスト化を図り、設置対象物や場所への取り付け設置の工事が簡便で済み、なおかつ縦手摺りおよび横手摺りの位置の調整範囲が十分に大きく、位置調整を自由自在に行える、縦手摺りおよび横手摺りの位置を調整可能な手摺りユニットを提供することである。
【課題を解決するための手段】
【０００７】
上述した従来技術の課題を解決するための手段として、請求項１に記載した発明に係る縦手摺りおよび横手摺りの位置を調整可能な手摺りユニットは、
レール材１又は２を継手３又は３０により正面視を四角形に組み立てたレール枠の上下・左右方向に平行に相対峙するレール材１、１又は２、２間に、縦手摺り８と横手摺り７が互い違いの交差状に配置され、各手摺り７、８の両端部が手摺り支持部材４又は４０によりレール材１又は２へ摺動および位置決め固定が可能に取り付けられており、前記レール枠の継手３又は３０が、設置対象物Ｗへネジ止めにより取り付けて設置される構成であることを特徴とする。
【０００８】
請求項２に記載した発明は、請求項１に記載した発明に係る縦手摺りおよび横手摺りの位置を調整可能な手摺りユニットにおいて、
継手３又は３０に、ネジ止め用ビス又はタッピングネジ１１を通す孔１２が設けられていることを特徴とする。
【０００９】
請求項３に記載した発明は、請求項１に記載した発明に係る縦手摺りおよび横手摺りの位置を調整可能な手摺りユニットにおいて、
縦手摺り８および横手摺り７はそれぞれ手摺り材とその両端部の手摺り支持部材４又は４０とで構成され、前記手摺り支持部材４又は４０がレール摺動部６又は２２によりレール材１又は２へ摺動可能に取り付けられ、前記レール摺動部６又は２２に位置決め固定機構９又は２１が設けられ摺動および位置決め固定が可能とされていること、
縦手摺り８および横手摺り７は、手摺り支持部材４又は４０によりレール枠の前面方向に高さが異なる段違い状に交差する配置でレール材１、１又は２、２間に取り付けられていることを特徴とする。
【００１１】
請求項４に記載した発明は、請求項１又は３に記載した発明に係る縦手摺りおよび横手摺りの位置を調整可能な手摺りユニットにおいて、
手摺り支持部材４０をレール材２へ摺動可能に取り付けるレール摺動部２２としてレール材２を貫通させたリニアブッシュ２２ａが使用され、位置決め固定機構２１として、レール材２の横断面を約半分づつ挟む２個一対のカラー２１ａと２１ｂが使用され、前記カラー２１ａと２１ｂの一側部分はネジ２１ｃで止められ、他側部分はハンドル２１ｄ付きのネジ軸２１ｅにより締め緩めが自在に結合されて成り、前記リニアブッシュ２２ａとハンドル付きの位置決め固定機構２１とが一対として構成されていることを特徴とする。
【発明の効果】
【００１３】
本発明の手摺りユニットは、手摺りユニット自体の構成が、レール材１又は２を継手３又は３０により正面視を四角形のレール枠に組み立て、平行に相対峙するレール材１、１又は２、２間に、縦手摺り８と横手摺り７を互い違いの交差状配置に設置すると共に、各手摺り７、８の両端部は各レール材１又は２へ摺動および位置決め固定が可能に取り付けた構成であり、単にレール枠を設置対象物Ｗへネジ止めにより取り付けて設置する構成であるから、ユニットの小型化と軽量化、薄型化、およびローコスト化を十分に達成でき、設置対象場所への取り付け設置の手数が少なく工事が簡便で済む。
しかも縦手摺り８および横手摺り７それぞれの位置の調整範囲が十分に大きく、位置調整と固定は、ハンドル付きの位置決め固定機構９又は２１の操作により自由自在に行えるので、使い勝手に優れるのである。
【発明を実施するための最良の形態】
【００１４】
レール材１又は２を継手３又は３０により正面視を四角形に組み立てたレール枠の上下・左右方向に平行に相対峙するレール材１、１又は２、２間に、縦手摺り８と横手摺り７が互い違いの交差状に配置し、各手摺り７、８の両端部が手摺り支持部材４又は４０によりレール材１又は２へ摺動および位置決め固定が可能に取り付けている。前記レール枠の継手３又は３０を設置対象物Ｗへネジ止めにより取り付けて設置できる。
継手３又は３０には、ネジ止め用のビス又はタッピングネジ１１を通す孔１２が設けられている。
縦手摺り８および横手摺り７はそれぞれ、手摺り材とその両端部の手摺り支持部材４又は４０とで構成され、前記手摺り支持部材４又は４０がレール摺動部６又は２２によりレール材１又は２へ摺動可能に取り付けられ、前記レール摺動部６又は２２に位置決め固定機構９又は２１が設けられている。
縦手摺り８および横手摺り７は、レール枠の前面方向に高さが異なる段違い状に交差する配置で、レール材１、１又は２、２、間に摺動および位置決め固定が可能に取り付けられる。
手摺り支持部材４０をレール材２へ摺動可能に取り付けるレール摺動部２２としてレール材２を貫通させたリニアブッシュ２２ａが使用され、位置決め固定機構２１としては、レール材２の横断面を約半分づつ挟む２個一対のカラー２１ａと２１ｂが使用され、前記のカラー２１ａと２１ｂの一側部分はネジ２１ｃで止められ、他側部分はハンドル２１ｄ付きのネジ軸２１ｅにより締め緩めが自在に結合されて成り、前記リニアブッシュ２２ａとハンドル付きの位置決め固定機構２１とが一対として構成されている。
レール材１又は２を正面視が四角形に組み立てたレール枠の継手３又は３０が、設置対象物Ｗへネジ止めにより取り付けて設置される。
【実施例１】
【００１５】
以下に、本発明を図示した実施例に基づいて説明する。
図１〜図６に示した実施例１は、縦、横のレール材１を正面視（図１の視点）が四角形に接続してレール枠が組み立てられている。本実施例の場合は、縦、横のレール材１がそれぞれ、図５および図６に示しているように、横断面が前面（図１の手前側）に向かって開口する溝形鋼状をなす形態であることを特徴とする。
【００１６】
即ち、縦、横方向のレール材１、１をエルボ形状のコーナー継手３により接続して成るレール枠は、図１の方向に見る正面視が、縦×横が９２０×７２０ｍｍ程度の四角形に組み立てられている。具体的には、図７に示したように、コーナー継手３の入れ子部３ａが溝形鋼状をなすレール材１の溝中に嵌め合わされ、両者は止めネジ１０により止着されている。このレール枠が当該手摺りユニットのベース構造体とされる。即ち、本発明の手摺りユニットは、当該レール枠が、その四隅に位置する前記コーナー継手３を、設置対象物であるリハビリ施設の内壁、或いは浴室の内壁Ｗなどへ、図７に示したようにビス１１によりネジ止めして取り付け設置されるのである。
【００１７】
上記レール枠において、上下・左右方向に平行に相対峙するレール材１、１の間に、縦手摺り８と横手摺り７が互い違いの交差状に配置され、各手摺り７、８の両端部が手摺り支持部材４により、対応するレール材１へ摺動および位置決め固定が可能に取り付けられている。
即ち、手摺り支持部材４は全体としてＪの字形状をなすもので、その構造詳細は、図５及び図６に示したように、頭部に手摺り材７あるいは８を嵌めて接合するソケット部５を備え、脚部には、複数個列状に配置されたボール６ａが上記溝形鋼状をなすレール材２の側壁内面のボール溝に嵌り込んで抜けない構成とされたボール式摺動部６を具備している。前記ボール式摺動部６により手摺り支持部材４が、ひいては縦手摺り８と横手摺り７がレール材１へ安定した摺動（移動）が自在に取り付けられている。そして、前記ボール式摺動部６のベースプレート６ｂの外側部位にネジプレート９ａが固定され、同ネジプレート９ａのネジ孔へハンドル９のネジ軸９ｃがねじ込まれている。つまり、前記ハンドル９を正負方向へ約１８０度回転する範囲で、そのネジ軸９ｃが前進してレール材２の側壁外面へ圧接して位置決め固定（ストッパ）の機能を発揮し、又は逆回転によりネジ軸９ｃが後退して逃げ、固定解除の機能を発揮するハンドル付き位置決め固定機構が構成されている。図６に示した縦手摺り８用の手摺り支持部材４は、中間の胴部４ａの分だけ、縦手摺り８がレール枠の前面に横手摺り７と干渉しないように背の高い構成で設置されている（図３を参照）。
【００１８】
したがって、本実施例１の手摺りユニットは、縦手摺り８および横手摺り７の両端部の手摺り支持部材４、４に付設された上記位置決め固定機構のハンドル９を正負方向へ約１８０度回転するだけの操作により、縦、横方向のレール材１、１の長さの限度に、縦手摺り８および横手摺り７を任意所望の位置へ自由自在に移動させて調整を行い、そして、強固に位置決め固定して使用に供する位置調整が可能なのである。
【実施例２】
【００１９】
次に、図８〜図１５に示した実施例２を説明する。
本実施例２は、レール材２として横断面が円形の棒状材（又はパイプ状材でも可）を使用したことを特徴としている。また、レール材２の横断面形状は円形の限りではなく、角形や多角形等であっても良い。
【００２０】
本実施例２の場合、縦、横方向のレール材２は、四隅に配置したＴ交差形のコーナージョイント３０により、図８の方向に見る正面視を四角形に接続してレール枠が組み立てられている。前記コーナージョイント３０は、２方向のレール材２をＴ字交差形状に嵌め込める直角２方向のソケット部を備え、各ソケット部へはめ込んだレール材２はそれぞれ、直交方向にねじ込んだ止めネジ３１、或いは３２により強固に固定される。
かくして組み立てたレール枠が当該手摺りユニットの構造ベースとされ、四隅のコーナージョイント３０を、設置対象物であるリハビリ施設の内壁、或いは浴室の内壁Ｗ等へ図１４に示したようにタッピングネジ１１によりネジ止めして設置される。   
そのため、コーナージョイント３０は、図１４に示したように、後述する手摺り支持部材４０に付属するレール材への摺動及び位置決め固定機構２０が壁面Ｗと干渉を起こさないように、レール材２の外径位置から壁面Ｗまでの間に必要最少限度の隙間を確保できる肉厚形状に、例えばアルミニュームで鋳造されている。
【００２１】
本実施例の場合にも、上下・左右方向に平行に相対峙するレール材２、２の間に、縦手摺り８と横手摺り７が互い違いの交差状に配置され、各手摺り７、８の両端部が手摺り支持部材４０により、対応するレール材２へ摺動および位置決め固定が可能に取り付けられている。
即ち、手摺り支持部材４０は全体としてＪの字形状をなすのであり、その頭部には、図１２、図１３と図１４に示したように、手摺り材７あるいは８を嵌めて接合するソケット部４１を備え、脚部４４は手摺り取り付け板４２へボルト４３で強固に取り付け固定されている。
前記手摺り取り付け板４２は、平行に相対峙するレール材２、２の間に架け渡されるもので、その両端部に、上記レール材２への摺動および位置決め固定機構２０が構築されている。
【００２２】
以下、レール材２への摺動部および位置決め固定機構２０について説明する。
図１４に示したように、摺動および位置決め固定機構２０の中央にハンドル付き位置決め固定機構２１が位置し、その前後両側の位置にレール摺動部２２が設けられている。
中央のハンドル付き位置決め固定機構２１は、図１２および図１３に見るとおり、横断面が円形の棒状をなすレール材２を約半円づつ挟む２個一対のカラー２１ａと２１ｂを主要部とする。同一対のカラー２１ａと２１ｂの一側部分はネジ２１ｃで結合され、他側部分にはハンドル２１ｄ付きのネジ軸２１ｅが、手摺り取り付け板４２を貫通させて固定した金属カラー２１ｆ（図１２）を通じて挿入され、前記２個一対のカラー２１ａと２１ｂへねじ込み結合されている。
したがって、ハンドル２１ｄを正負方向へ回転することによるネジ軸２１ｅの締め緩め機能により、前記一対のカラー２１ａと２１ｂがレール材２を挟み付けた摩擦力によって位置決め固定機能（ストッパ機能）を働き、又は逆に前記摩擦力を解いて移動を可能にする構成とされている。
【００２３】
次に、上記レール材２への摺動部２２としては、いわゆるリニアブッシュ２２ａが使用され、同リニアブッシュ２２ａへレール材２を貫通させて前記位置決め固定機構２１の前後に２個設置されている。そして、各リニアブッシュ２２ａを保持するため、その外周に設けたブッシュホルダ２２ｂが、小ネジ２２ｃにより、上記の手摺り取り付け板４２へ取り付け固定されている。
なお、レール材２の端部、換言するとコーナージョイント３０の前端には、緩衝材としてウレタン製スリーブ３３が設置されている。
【００２４】
したがって、本実施例２の手摺りユニットは、縦手摺り８および横手摺り７の両端部の手摺り支持部材４０、４０に付設された上記摺動部２２および位置決め固定機構２０を構成するハンドル付き位置決め固定機構２１のハンドル２１ｄを正負方向へ回転するだけの操作により、縦、横方向のレール材１、１の長さの限度に、縦手摺り８および横手摺り７を任意所望の位置へ自由自在に移動させて調整を行い、そして、強固に位置決め固定して使用に供する位置調整が可能なのである。
【００２５】
以上に本発明を図示した実施例とともに説明したが、もとより本発明は実施例に限定されるものではない。本発明の目的と要旨を逸脱しない範囲で、当業者が必要に応じて行う設計変更や応用・変形を包含するものであることを念のため申し添える。
【図面の簡単な説明】
【００２６】
【図１】本発明の実施例１の手摺りユニットを示す正面図である。
【図２】同上の平面図である。
【図３】同上の右側面図である。
【図４】実施例１の手摺りユニットを示した斜視図である。
【図５】図１のＢ−Ｂ矢視拡大断面図である。
【図６】図１のＡ−Ａ矢視拡大断面図である。
【図７】図１のＣ−Ｃ視拡大断面図である。
【図８】本発明の実施例２である手摺りユニットを示す正面図である。
【図９】同上の平面図である。
【図１０】図８のＡ−Ａ矢視断面図である。
【図１１】図８のＤ−Ｄ矢視断面図である。
【図１２】図８のＥ−Ｅ矢視拡大断面図である。
【図１３】図８のＦ−Ｆ矢視拡大断面図である。
【図１４】図１１のＧ部拡大断面図である。
【図１５】実施例２の手摺りユニットを示した斜視図である。
【符号の説明】
【００２７】
１、２      レール材
７          横手摺り
８          縦手摺り
４、４０    手摺り支持部材
６、２２    レール摺動部
９、２１    位置決め固定機構
３、３０    レール枠の継手
Ｗ          設置対象物
【図１】
0005072467.tif 000002
【図２】
0005072467.tif 000003
【図３】
0005072467.tif 000004
【図４】
0005072467.tif 000005
【図５】
0005072467.tif 000006
【図６】
0005072467.tif 000007
【図７】
0005072467.tif 000008
【図８】
0005072467.tif 000009
【図９】
0005072467.tif 000010
【図１０】
0005072467.tif 000011
【図１１】
0005072467.tif 000012
【図１２】
0005072467.tif 000013
【図１３】
0005072467.tif 000014
【図１４】
0005072467.tif 000015
【図１５】
0005072467.tif 000016